(57)【要約】      （修正有）【課題】周囲で作業する人々への安全を確保すると共に、路肩に接する建築物や施設への損傷を回避でき、安全で確実な除雪効果を得られるサイドシャッター垂直調整機構付き除雪ブレード装置を提供する。【解決手段】サイドシャッター垂直調整機構付き除雪ブレード装置は、左右ブレードＹ両端にサイドシャッター機構垂直調整機構４０、４１を設け、左右のブレードから独立したサイドシャッター１０、１１の開閉を可能とし、サイドシャッターはブレード両端からはみ出すことなく、作業車両進行方向に対して垂直に保持される。【選択図】図１０
0003233814.tif 000002
【実用新案登録請求の範囲】
【請求項１】
ホイールローダの作業用アタッチメントである除雪ブレードにおいて、左右排雪板ブレードの両端からの雪毀れ防止用のサイドシャッター機構を、車両進行方向に対して垂直に向け調整できることを特長とするサイドシャッター垂直調整機構付き除雪ブレード装置である。
【請求項２】
請求項１のサイドシャッター垂直調整機構付き除雪ブレードは、除雪作業時の車両進行方向に対し、サイドシャッター機構を垂直に調整できることを目的として、左右排雪板ブレードの両端にサイドシャッター機構の向きを調整できる機構を特長とするサイドシャッター垂直調整機構付き除雪ブレード装置である。
【考案の詳細な説明】
【技術分野】
【０００１】
ホイールローダは、作業車輌本体の前面先端に作業用アタッチメントを装着して、土砂や飼料の運搬・積込、道路や構内の除雪、木材などの運搬等の様々な作業を行う。作業用アタッチメントは作業内容に合わせて、バケット、ブレード、フォーク等の各種アタッチメント選択し、作業車両前面に装着される。
【０００２】
作業車輌の先端に装着される作業用アタッチメントのなかでも、除雪ブレードは積雪地帯では除雪作業用車両のアタッチメントとして使用され、一般道路及び住宅地のような狭小道路及び駐車場内・広場等の様々な除雪現場での使用を可能とするよう除雪現場から要求事項があります。
【０００３】
従来、除雪ブレードにおいて、徐雪作業時、除雪ブレードの左右両端から集雪した雪塊が、除雪した路面に毀れ残り、作業効率を図るうえで、ブレード両端にサイドシャッターを装着する改良を重ねてきた。
【背景技術】
【０００４】
従来の除雪ブレードの左右両端に装着されるサイドシャッターは、作業車両の進行方向に対してＶ字型に設置され、ブレードの左右両端から集雪した雪塊が毀れ落ちないよう装着されていた。
【先行技術文献】
【特許文献】
【０００５】
【特許文献１】特開２００８-２９７８０９号
【特許文献２】意匠登録第１４１９２４０号
【考案の概要】
【考案が解決しようとする課題】
【０００６】
図１のように、ホイールローダの作業車輌の先端に装着する作業アタッチメントで、従来の除雪ブレードは左右両端に装着されるサイドシャッターが作業車両の進行方向に対してＶ字型に設置されているため、サイドシャッターの張出時はブレードから大きく張り出し、構造的にサイドシャッターに大きな負担が掛かることから耐久性が劣り、しかも、除雪ブレード幅より大きく飛び出す危険性があることが指摘され、安全性の点でも問題視されていた。また、路肩の端や狭小住宅街道路の除雪には不向きとされていたのが実情であった。
【課題を解決するための手段】
【０００７】
従来の左右ブレードの両端に装着されるサイドシャッターが作業車両の進行方向に対してＶ字型に設置されていたものから、左右ブレード両端にはサイドシャッター機構垂直調整機構を増設し、左右のブレードから独立したサイドシャッターの開閉を可能とし、左右両端のサイドシャッターはブレード両端からはみ出すことなく、図３、図４で示すように、作業車両進行方向に対して垂直に保持される機構を考案した。
【０００８】
このサイドシャッター機構垂直調整機構は、左右のブレードの開閉並びに傾き動作を行っても、左右両端のサイドシャッターは絶えず作業車両進行方向に対して垂直に保持されることを目的とする機構である。
【考案の効果】
【０００９】
サイドシャッター垂直調整機構により、左右のブレード両端に装着されたサイドシャッターは、ブレード両端からはみ出すことなく作業車両進行方向に対して垂直に保持される機構を獲得することが出来た。
【００１０】
サイドシャッター垂直調整機構により、垂直保持されたサイドシャッターは、周囲で作業する人々への安全を確保すると共に路肩の端や路肩に接する建築物や施設への損傷を回避することができ、安全で確実な除雪効果を獲得出来た。
【図面の簡単な説明】
【００１１】
【図１】本考案、サイドシャッター垂直調整機構装着除雪ブレードを装着した作業用車両の側面図
【図２】本考案、サイドシャッター垂直調整機構装着除雪ブレードをホイールローダに装着した車両上部から見た平面図
【図３】本考案、サイドシャッター垂直調整機構装着除雪ブレード部のブレード本体とサイドシャッター垂直調整機構を分離した状態で上部から見た平面図
【図４】本考案、サイドシャッター垂直調整機構装着除雪ブレード部のブレード本体とサイドシャッター垂直調整機構を分離した状態で後部背面から見た平面図
【図５】本考案、サイドシャッター垂直調整機構装着除雪ブレード部でサイドシャッターを稼働させた状態を示す、上から平面図
【図６】本考案、サイドシャッター垂直調整機構装着除雪ブレード部でサイドシャッターを稼働させた状態を示す、ブレード後方背面から見た平面図
【図７】本考案、サイドシャッターユニットケースとサイドシャッターが収納された状態を示す側面図
【図８】本考案、サイドシャッターユニットケースとサイドシャッターが突出可動状態を示す側面図
【図９】本考案、サイドシャッターユニットケースとサイドシャッターが突出可動状態及び収納状態を示す上部から見た平面図
【図１０】本考案、サイドシャッターユニットケースとサイドシャッターが突出可動状態及び収納状態を示す後部背面から見た斜視図
【図１１】サイドシャッターユニットケース部分の斜視図
【図１２】本考案、サイドシャッター垂直調整機構装着除雪ブレード部でサイドシャッターを稼働させ、サイドシャッターの開閉の多様性を示す、上からの平面図
【図１３】本考案、サイドシャッター垂直調整機構装着除雪ブレード部でサイドシャッターを稼働させ、サイドシャッターを垂直保持した状態を示す、上からの平面図
【考案を実施するための形態】
【００１２】
本考案を実施する方法を図1により説明すると、ホイールローダ作業車両側面図のとおり、除雪時はサイドシャッターは突出時１０の位置にあり、サイドシャッター未使用時１１の位置にあります。
【００１３】
図２のホイールローダ作業車両を上から平面図でみるようにサイドシャッター１０はブレードの両端から突出し、除雪しながら集めた雪塊を毀れないよう防止する部分であり、サイドシャッターの突出から未使用時の収納をサイドシャッターユニット２０および２１がブレード両端に装着された状態を示します。
【００１４】
本考案、サイドシャッター垂直保持装置については図３で説明しますと、除雪作業の主要作業部である除雪ブレードはセンターブレード３０を中心に左右の除雪ブレードYがあり、このブレード先端にはサイドシャッターユニット２０ならびに２１が装着される。サイドシャッターを使用する際は、サイドシャッターは突出し１０使用収納時１１は後方に収納される。
【００１５】
サイドシャッター垂直保持するために、サイドシャッター垂直保持装置４０がブレードYの両端に接続され、サイドシャッター垂直保持装置４０ならびに４１がシャッターユニット２０ならびに２１が一体となって接続される。
【００１６】
サイドシャッター垂直保持装置４０ならびに４１の構成をブレード後方背面から見た平面図である図４で説明すると、ブレード部Yとサイドシャッター垂直保持装置４０ならびに４１で構成されていることを示すものである。
【００１７】
本考案、サイドシャッター垂直保持装置４０ならびに４１のサイドシャッター突出時１０および収納時１１の上から見た平面図であるが、除雪時のサイドシャッターはV字型を形成し、除雪しながら集めた雪塊を毀れないよう防止できるものである。
【００１８】
サイドシャッター部分を図７で説明しますと、サイドシャッターは回転軸５００を支持軸としてサイドシャッターを収納し、図８では除雪稼働時、サイドシャッターは回転軸５００を支持軸としてサイドシャッターを突出させるサイドシャッターユニット２０により構成される。図９、図１０、図１１の斜視図を参考図といたします。
【実施例】
【００１９】
本考案、実施例を図１２ならびに図１３で説明すると、サイドシャッター垂直保持装置を装着した場合のサイドシャター突出時１０の除雪面は除雪ブレードのアングル操作に際しても、サイドシャッターユニット２０ならびに２１が絶えず除雪進行方向に対して垂直を保持獲得し、サイドシャター突出作動時に物的損害及び人的障害事故を激減させ、サイドシャッターへの負担を軽減することができた。
【符号の説明】
【００２０】
Ｘ・・・ホイールローダ作業車両本体
Ｙ・・・左右の除雪板のブレード部分
１０・・・サイドシャッター突出除雪作業時位置
１１・・・サイドシャッター未使用収納時位置
２０・・・左サイドシャッターユニットケース
２１・・・右サイドシャッターユニットケース  
３０・・・除雪板のセンターブレード部分  
４０・・・左ブレードのサイドシャッター機構垂直調整機構
４１・・・右ブレードのサイドシャッター機構垂直調整機構
５０・・・左サイドシャッターの突出及び収納を行う油圧ユニット
５１・・・右サイドシャッターの突出及び収納を行う油圧ユニット
２００・・・左ブレードのサイドシャッター機構垂直調整の開閉油圧ユニット
２１０・・・右ブレードのサイドシャッター機構垂直調整の開閉油圧ユニット
３００・・・左サイドシャッターユニットの油圧ユニット
３１０・・・右サイドシャッターユニットの油圧ユニット
５００・・・左右サイドシャッターの突出除雪作業時及び未使用収納時の回転支持軸
【図１】
0003233814.tif 000003
【図２】
0003233814.tif 000004
【図３】
0003233814.tif 000005
【図４】
0003233814.tif 000006
【図５】
0003233814.tif 000007
【図６】
0003233814.tif 000008
【図７】
0003233814.tif 000009
【図８】
0003233814.tif 000010
【図９】
0003233814.tif 000011
【図１０】
0003233814.tif 000012
【図１１】
0003233814.tif 000013
【図１２】
0003233814.tif 000014
【図１３】
0003233814.tif 000015